(57)【特許請求の範囲】
【請求項１】
一方が開口したＵ字形の支持体と、前記支持体の内側面にそれぞれ設けられた帯板状である導電体と、前記支持体の内側に差し込まれて前記帯板状の導電体に挟持される突条を有し前記突条の両側に設けられて前記導電体に接触する電極を有する灯体とを備え、
前記灯体は略平板状であり、前記突条は前記灯体の取付側となる前記灯体の一辺より外方に突出したものであって前記一辺に沿って延びており、前記電極は前記突条の両側にそれぞれ突設されたものであって前記突条の長手方向に沿って延びている照明装置。
【発明の詳細な説明】
【技術分野】
【０００１】
この発明は、照明装置に関するものである。
【背景技術】
【０００２】
従来（例えば特許文献１参照）、平行に張設された２本の電線間に接続した複数の灯具を備えた照明装置があった。
【特許文献１】実公平４−４６３２９号公報
【発明の開示】
【発明が解決しようとする課題】
【０００３】
しかし、灯具がスポットライトであるため、広く均一な配光が困難であり、また平行電線と灯具との間を導体アームで連結する必要があるため、器具構成が複雑で取付け容易でなかった。またスポットライトの長手方向が光の照射方向であるため、光の照射方向を変える場合に灯具の重量をバランスするためのバランスウエイトが必要であり、このため灯具が大型化し構造が複雑化した。
【０００４】
したがって、この発明の目的は、広く均一な配光を可能とし器具構成が簡単で取付け容易な照明装置を提供することである。
【課題を解決するための手段】
【０００５】
この発明の照明装置は、一方が開口したＵ字形の支持体と、前記支持体の内側面にそれぞれ設けられた帯板状である導電体と、前記支持体の内側に差し込まれて前記帯板状の導電体に挟持される突条を有し前記突条の両側に設けられて前記導電体に接触する電極を有する灯体とを備えている。前記灯体は略平板状である。前記突条は前記灯体の取付側となる前記灯体の一辺より外方に突出したものであって前記一辺に沿って延びている。前記電極は前記突条の両側にそれぞれ突設されたものであって前記突条の長手方向に沿って延びている。
【発明の効果】
【００１１】
この発明の照明装置によれば、バランスウエイトや導体アームを必要とする従来例と比べて器具構成が簡単になり、灯体を支持体に取付け容易になる。
【発明を実施するための最良の形態】
【００１５】
この発明の第１の実施の形態を図１および図２により説明する。すなわち、この照明装置は、支持体１ａ、１ｂと灯体２からなる。
【００１６】
支持体１ａ、１ｂは、導体７を有する線状の剛体例えばワイヤであり、表面が絶縁体８で覆われている。支持体１ａ、１ｂは平行に配線され張力が掛けられている。導体７は給電線の役割を果たし、その一端は電源装置（図示せず）に接続され、一方の支持体１ａが高圧側となり、他方の支持体１ｂが低圧（コモン）側となる。
【００１７】
灯体２は、四角形の略平板状であり、電力供給により発光する例えば有機ＥＬランプユニットなどの光源３を有し、灯体２の周縁部を除く表面全体に発光面を形成している。灯体２の両側の周縁部に保持体５を設け、保持体５の連結部５ｂと光源３とを電気的に接続するとともに、保持体５の連結部５ｂに、支持体１ａ、１ｂに取付けられる支持部４を回動可能に通常の連結手段により連結している。この場合、支持部４は回動位置で保持体５の連結部５ｂに摩擦係止する構成とし、かつ支持部４と連結部５ｂが電気的に接続される構成としている。なお重量バランスをとるため、一対の支持部４を結ぶ線は灯体２のほぼ中心を通っている。
【００１８】
支持部４は略Ｌ字形の切欠きにより形成した支持体挿通溝６を有し、支持体１ａ、１ｂを支持体挿通溝６に係脱可能に挿通係止している。また絶縁体８に食い込んで導体７に接触する接触手段（図示せず）を支持部４に設けている。
【００１９】
この実施の形態によれば、２本の支持体１ａ、１ｂを平行に張り、各支持体１ａ、１ｂに支持部４の支持体挿通溝６を挿通することにより容易に取付けることができる。灯体２は平板状であるため面発光できるので、広く均一な配光が可能となる。また２個の支持部４がそれぞれ回動可能であるため、支持部４を結ぶ軸線の回りに回動することができ、これによって灯体２を支持体１ａ、１ｂに対して回動することができ、灯体２の向きを容易に変更することができ、照射方向を容易に任意の角度に変えることができる。
【００２０】
支持体１ａ、１ｂは灯体２の大きさに合わせて自由に配置できるとともに、支持部４を灯体２の周縁部に配置しているため灯体２をより薄くできる。支持体１ａ、１ｂに剛体を用いた場合、弾性による灯体２の保持が可能となり、取付け取り外しが容易である。
【００２１】
なお、低電圧回路の場合、支持体の絶縁体８はなくてもよい。
【００２２】
この発明の第２の実施の形態を図３により説明する。すなわち、第１の実施の形態において、灯体２が円板形の場合である。
【００２３】
この発明の第３の実施の形態を図４により説明する。すなわち、第１の実施の形態において、支持部４を灯体２の対角位置に配置した形態である。
【００２４】
この発明の第４の実施の形態を図５により説明する。すなわち、第１の実施の形態において、２本の支持体１ａ、１ｂが平行でなくハの字形に配置され、灯体２はその間に複数配置されている。灯体２の各支持体１ａ、１ｂに近い周縁部の辺が各支持体１ａ、１ｂに平行となる台形状であり、支持体１ａ、１ｂの間に納まるように大きさを異ならせている。
【００２５】
この発明の第５の実施の形態を図６により説明する。すなわち、第１の実施の形態において、２つの支持体１ａ、１ｂは同一平面上にないが、投影面上で略平行をなすように配置されている。支持体１ａ、１ｂに接続される支持部４は左右独立して自在に回転するため、支持体は同一平面上になくてもよく灯体２の配置の自由度が高い。
【００２６】
この発明の第６の実施の形態を図７により説明する。すなわち、第１の実施の形態において、複数の支持体１ａ〜１ｄと、複数の灯体２ａ〜２ｄを有する。支持体１ａ、１ｃが高圧側、支持体１ｂ、１ｄが低圧（コモン）側である。支持体１ａ〜１ｃは同一平面上にあり、支持体１ｃ、１ｄを含む面は支持体１ａ〜１ｃを含む面とたとえば９０度で交差している。
【００２７】
複数の灯体２ａ〜２ｄの各々は支持体１ａ〜１ｄのうちから選択された互いに離隔した極性の異なる２つの支持体１ａ〜１ｄの間に取付けられている。
【００２８】
支持体１ａ〜１ｄを複数設置することによって任意の数の灯体を配置でき、明るさを自由に変えることができる。
【００２９】
この発明の第７の実施の形態を図８により説明する。すなわち、第１の実施の形態において、灯体２の背面に保持部５が設けられることにより、支持部４が灯体２の背面側に取付けられている。保持部５は灯体２の背面の中央に位置する基部５ａを有し、基部５ａから灯体２の両側部に延びる連結部５ｂを有し、連結部５ｂに支持部４が回動可能に連結されている。なお、矢印は電路を示す。
【００３０】
支持部４を灯体２の背面に配置した場合、灯体２の回動機構が容易になる。
【００３１】
この発明の第８の実施の形態を図９により説明する。すなわち、第７の実施の形態において、基部５ａが灯体２の両側部に位置するものであり、かつ各基部５ａに貫通孔を有し、貫通孔に１本の連結部５ｂが貫通し、その両端に支持部４が回動可能に連結されている。また連結部５ｂの両端部は各基部５ａ内で光源３と連結部５ｂとがそれぞれ別々に電気接続されて、各支持部４と電気接続されている。
【００３２】
この発明の第９の実施の形態を図１０により説明する。すなわち、第１の実施の形態において、灯体２の支持部４が灯体２の背面の中央に直接設けられ、灯体２の背面に平行な貫通孔１０を形成している。支持体１は２本の導体７ａ、７ｂを絶縁体８で被覆した電源線を用い、支持体１を貫通孔１０にスライド移動可能かつ回動可能に貫通している。支持体１の各導体７ａ、７ｂと支持部４との電気的接続は第１の実施の形態と同様、支持体１の貫通状態で絶縁体８に突き刺して接続する接触手段（図示せず）を用いている。
【００３３】
このように、２つの導体７ａ、７ｂを電極としてもつ１本の支持体１を使用した場合、灯体２の背面での取付けが容易となる。
【００３４】
この発明の第１０の実施の形態を図１１により説明する。すなわち、第９の実施の形態において、支持部４は貫通孔１０に切欠き部１１を形成し、同図（ｂ）に示すように切欠き部１１から支持体１を支持部４に挿通している。この場合、接触手段は支持部４内に設け、支持体１を押し込むことにより導体７ａ、７ｂと光源３とを接続している。
【００３５】
この発明の第１１の実施の形態を図１２により説明する。すなわち、第９の実施の形態において、支持部４を灯体２の背面の両側部の２箇所に設け、各支持部４の貫通孔１０に支持体１を貫通している。各貫通孔１０は互いに反対向きに開口する切欠き部１１を有し、図（ｂ）に矢印で示すように灯体２に対し支持体１を回動によって取付けることができる。
【００３６】
この発明の第１２の実施の形態を図１３により説明する。すなわち、第１の実施の形態において、支持体１が逆Ｕ字形の剛体性の絶縁体、例えば金属製の剛体の表面を絶縁被覆した絶縁体や、合成樹脂製の絶縁体からなり、内側面にそれぞれ折り返し片１４を有する帯板を用いた弾性の導体７ａ、７ｂを設けている。
【００３７】
灯体２の支持部４は支持体１の内側に進入する突条に形成され、支持部４の両側に電極１３を設けている。灯体２の支持部４を支持体１の内側に差し込むと電極１３が導体７ａ、７ｂの折り返し片１４により挟持され電気的に接続されるとともに機械的に保持される。この灯体２は電気接触状態で支持体１に沿って自由にスライドすることが可能であり、照射箇所を容易に変えることができる。
【００３８】
この発明の第１３の実施の形態を図１４により説明する。すなわち、第１の実施の形態において、灯体２の一側部に沿って支持部４を設け、支持部４に灯体２の側部に沿った貫通孔１０を形成し、支持体１は２本の導体７ａ、７ｂを絶縁体８で被覆したものであり、この支持体１を貫通孔１０にスライド可能かつ回動可能に通している。この場合、摩擦係止して回動位置やスライド位置で停止するようにしているが、自由に回動させて垂直姿勢で停止する構成としてもよい。また支持部４と支持体１との電気的接続は支持体１を貫通孔１０に通した状態で、第１の実施の形態と同様に絶縁体８に食い込んで導体７ａ、７ｂに接触する接触手段などを使用して実現することができる。
【図面の簡単な説明】
【００３９】
【図１】この発明の第１の実施の形態の斜視図である。
【図２】（ａ）はその分解斜視図、（ｂ）は部分拡大図である。
【図３】この発明の第２の実施の形態の斜視図である。
【図４】（ａ）はこの発明の第３の実施の形態の斜視図、（ｂ）は底面図である。
【図５】この発明の第４の実施の形態の斜視図である。
【図６】この発明の第５の実施の形態の斜視図である。
【図７】この発明の第６の実施の形態の斜視図である。
【図８】この発明の第７の実施の形態の斜視図である。
【図９】この発明の第８の実施の形態の斜視図である。
【図１０】（ａ）はこの発明の第９の実施の形態の斜視図、（ｂ）はその部分拡大図である。
【図１１】（ａ）はこの発明の第１０の実施の形態の斜視図、（ｂ）はその部分側面図である。
【図１２】（ａ）はこの発明の第１１の実施の形態の斜視図、（ｂ）はその平面図である。
【図１３】（ａ）はこの発明の第１２の実施の形態の斜視図、（ｂ）はその部分斜視図である。
【図１４】この発明の第１３の実施の形態の斜視図である。
【符号の説明】
【００４０】
１    支持体
１ａ    支持体
１ｂ    支持体
２    灯体
３    光源  
４    支持部
５    保持部
６    支持体挿通溝
７    導体
７ａ    導体
７ｂ    導体
８    絶縁体
１０    貫通孔
１１    切欠き部
１３    電極  
【図１】
0004838519.tif 000002
【図２】
0004838519.tif 000003
【図３】
0004838519.tif 000004
【図４】
0004838519.tif 000005
【図５】
0004838519.tif 000006
【図６】
0004838519.tif 000007
【図７】
0004838519.tif 000008
【図８】
0004838519.tif 000009
【図９】
0004838519.tif 000010
【図１０】
0004838519.tif 000011
【図１１】
0004838519.tif 000012
【図１２】
0004838519.tif 000013
【図１３】
0004838519.tif 000014
【図１４】
0004838519.tif 000015